(57)【要約】【課題】携帯端末装置と携帯管理装置との通信トラフィックを減少させ、通信コストを減少させると共に、効率的な携帯端末装置の管理が可能となる位置情報管理システム等を提供すること。【解決手段】携帯端末装置１００と、携帯管理装置２００と、を有し、前記携帯管理装置は、前記携帯端末装置との関連で地理的領域１７０を特定する領域特定手段２０３と、前記地理的領域１７０を登録する領域情報登録手段２０２と、前記領域情報登録手段に登録されている前記地理的領域情報を提供する領域情報提供手段２０６と、を有し、前記携帯端末装置は、前記地理的領域情報１７０と、前記位置情報とに基づいて、当該位置情報で特定される位置と直近の位置情報で特定された位置との間に前記地理的領域情報で特定された領域の境界部１７０ａが存在するか否かの境界部存在情報を生成する境界部情報生成手段１０９と、を有する位置情報管理システム１０。【選択図】　図１０
2004056659.tif 000002
【特許請求の範囲】
【請求項１】
位置情報取得手段を備える携帯端末装置と、
携帯端末装置を管理するための携帯管理装置と、を有する位置情報管理システムであって、
前記携帯管理装置は、前記携帯端末装置との関連で地理的領域を特定する領域特定手段と、
前記領域特定手段で特定した前記地理的領域を地理的領域情報として登録する領域情報登録手段と、
前記領域情報登録手段に登録されている前記地理的領域情報を関連する前記携帯端末装置に提供する領域情報提供手段と、を有し、
前記携帯端末装置は、前記領域情報提供手段から取得した前記地理的領域情報と、前記位置情報取得手段で取得した位置情報とに基づいて、当該位置情報で特定される位置と直近の位置情報で特定された位置との間に前記地理的領域情報で特定された領域の境界部が存在するか否かの境界部存在情報を生成する境界部情報生成手段と、
前記境界部情報生成手段で生成された前記境界部存在情報を前記携帯管理装置に送信する境界部情報送信手段と、を有することを特徴とする位置情報管理システム。
【請求項２】
携帯端末装置との関連で地理的領域を特定する領域特定手段と、
前記領域特定手段で特定した前記地理的領域を地理的領域情報として登録する領域情報登録手段と、
前記領域情報登録手段に登録されている前記地理的領域情報を関連する前記携帯端末装置に提供する領域情報提供手段と、
前記携帯端末装置の境界部情報生成手段が生成する境界部存在情報を受信する境界部情報受信手段と、を有する位置情報管理装置であって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置。
【請求項３】
位置情報取得手段と、
携帯管理装置の領域特定手段で携帯端末装置との関連で特定した地理的領域と、前記位置情報取得手段で取得した位置情報と、に基づいて、当該位置情報で特定される位置と直近の位置情報で特定された位置との間に前記地理的領域情報で特定された領域の境界部が存在するか否かの境界部存在情報を生成する境界部情報生成手段と、
前記境界部情報生成手段で生成された前記境界部存在情報を前記携帯管理装置に送信する境界部情報送信手段と、を有することを特徴とする携帯端末装置。
【請求項４】
携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、
前記携帯管理装置の領域情報提供手段が前記領域情報登録手段に登録されている前記地理的領域情報を関連する前記携帯端末装置に提供する領域情報提供工程と、
携帯端末装置の位置情報取得手段が位置情報を取得する位置情報取得工程と、
前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、
前記境界部情報生成工程で生成された前記境界部存在情報を前記携帯端末装置の境界部情報送信手段が前記携帯管理装置に送信する境界部情報送信工程と、
前記境界部情報送信工程で送信された前記境界部存在情報を前記携帯端末装置との関連で前記携帯管理装置の境界部情報登録手段に登録する境界情報登録工程と、を有することを特徴とする位置情報管理方法。
【請求項５】
携帯端末装置の領域登録手段が携帯端末装置との関連で地理的領域を特定する領域特定工程と、
前記領域特定工程で特定された前記地理的領域を前記携帯端末装置の領域情報登録手段が地理的領域情報として登録する領域情報登録工程と、
前記携帯管理装置の領域情報提供手段が前記領域情報登録手段に登録されている前記地理的領域情報を関連する前記携帯端末装置に提供する領域情報提供工程と、
境界部情報受信手段が前記携帯端末装置の境界部情報生成手段が生成する境界部存在情報を受信する境界部情報受信工程と、を有する位置情報管理装置の制御方法であって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御方法。
【請求項６】
携帯端末装置の位置情報取得手段が位置情報を取得する位置情報取得手工程と、
携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、
前記境界部情報生成工程で生成された前記境界部存在情報を境界部情報送信手段が前記携帯管理装置に送信する境界部情報送信工程と、を有することを特徴とする携帯端末装置の制御方法。
【請求項７】
コンピュータに、携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、
前記携帯管理装置の領域情報提供手段が前記領域情報登録手段に登録されている前記地理的領域情報を関連する前記携帯端末装置に提供する領域情報提供工程と、
携帯端末装置の位置情報取得手段が位置情報を取得する位置情報取得工程と、
前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、
前記境界部情報生成工程で生成された前記境界部存在情報を前記携帯端末装置の境界部情報送信手段が前記携帯管理装置に送信する境界部情報送信工程と、
前記境界部情報送信工程で送信された前記境界部存在情報を前記携帯端末装置との関連で前記携帯管理装置の境界部情報登録手段に登録する境界情報登録工程と、を実行させるための位置情報管理プログラム。
【請求項８】
コンピュータに、携帯端末装置の領域登録手段が携帯端末装置との関連で地理的領域を特定する領域特定工程と、
前記領域特定工程で特定された前記地理的領域を前記携帯端末装置の領域情報登録手段が地理的領域情報として登録する領域情報登録工程と、
前記携帯管理装置の領域情報提供手段が前記領域情報登録手段に登録されている前記地理的領域情報を関連する前記携帯端末装置に提供する領域情報提供工程と、
境界部情報受信手段が前記携帯端末装置の境界部情報生成手段が生成する境界部存在情報を受信する境界部情報受信工程と、を実行させるための位置情報管理装置の制御プログラムであって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラム。
【請求項９】
コンピュータに、携帯端末装置の位置情報取得手段が位置情報を取得する位置情報取得手工程と、
携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、
前記境界部情報生成工程で生成された前記境界部存在情報を境界部情報送信手段が前記携帯管理装置に送信する境界部情報送信工程と、を実行させるための携帯端末装置の制御プログラム。
【請求項１０】
コンピュータに、携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、
前記携帯管理装置の領域情報提供手段が前記領域情報登録手段に登録されている前記地理的領域情報を関連する前記携帯端末装置に提供する領域情報提供工程と、
携帯端末装置の位置情報取得手段が位置情報を取得する位置情報取得工程と、
前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、
前記境界部情報生成工程で生成された前記境界部存在情報を前記携帯端末装置の境界部情報送信手段が前記携帯管理装置に送信する境界部情報送信工程と、
前記境界部情報送信工程で送信された前記境界部存在情報を前記携帯端末装置との関連で前記携帯管理装置の境界部情報登録手段に登録する境界情報登録工程と、を実行させるための位置情報管理プログラムを記録したコンピュータ読み取り可能な記録媒体。
【請求項１１】
コンピュータに、携帯端末装置の領域登録手段が携帯端末装置との関連で地理的領域を特定する領域特定工程と、
前記領域特定工程で特定された前記地理的領域を前記携帯端末装置の領域情報登録手段が地理的領域情報として登録する領域情報登録工程と、
前記携帯管理装置の領域情報提供手段が前記領域情報登録手段に登録されている前記地理的領域情報を関連する前記携帯端末装置に提供する領域情報提供工程と、
境界部情報受信手段が前記携帯端末装置の境界部情報生成手段が生成する境界部存在情報を受信する境界部情報受信工程と、を実行させるための位置情報管理装置の制御プログラムであって、
前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラムを記録したコンピュータ読み取り可能な記録媒体。
【請求項１２】
コンピュータに、携帯端末装置の位置情報取得手段が位置情報を取得する位置情報取得手工程と、
携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、
前記境界部情報生成工程で生成された前記境界部存在情報を境界部情報送信手段が前記携帯管理装置に送信する境界部情報送信工程と、を実行させるための携帯端末装置の制御プログラムを記録したコンピュータ読み取り可能な記録媒体。
【発明の詳細な説明】
【０００１】
【発明の属する技術分野】
本発明は、携帯端末装置の位置を携帯管理装置で管理するため位置情報管理システム、位置情報管理装置、携帯端末装置、位置情報管理方法、位置情報管理装置の制御方法、携帯端末装置の制御方法、位置情報管理プログラム、位置情報管理装置の制御プログラム、携帯端末装置の制御プログラム、位置情報管理プログラムを記録したコンピュータ読み取り可能な記録媒体、位置情報管理装置の制御プログラムを記録したコンピュータ読み取り可能な記録媒体、携帯端末装置の制御プログラムを記録したコンピュータ読み取り可能な記録媒体に関するものである。
【０００２】
【従来の技術】
企業等が、その従業員等の行動を管理するため、従業員等にＧＰＳ（Ｇｌｏｂａｌ　Ｐｏｓｉｔｉｏｎｉｎｇ　Ｓｙｓｔｅｍ）機能を備えた携帯端末装置を所持させ、この携帯端末装置が送信する位置情報を管理サーバが受信し、管理サーバで携帯端末装置の位置の管理、すなわち従業員等の行動を管理する管理システムが行われている。
【０００３】
【発明が解決しようとする課題】
しかし、このような管理システムでは、従業員等が行動している時間内では、常時、携帯端末装置と管理サーバとが通信するため通信トラフィックが増加し、通信コストが増大するという問題があった。
【０００４】
本発明は、以上の点に鑑み、携帯端末装置と携帯管理装置との通信トラフィックを減少させ、通信コストを減少させると共に、効率的な携帯端末装置の管理が可能となる位置情報管理システム、位置情報管理装置、携帯端末装置、位置情報管理方法、位置情報管理装置の制御方法、携帯端末装置の制御方法、位置情報管理プログラム、位置情報管理装置の制御プログラム、携帯端末装置の制御プログラム、位置情報管理プログラムを記録したコンピュータ読み取り可能な記録媒体、位置情報管理装置の制御プログラムを記録したコンピュータ読み取り可能な記録媒体、携帯端末装置の制御プログラムを記録したコンピュータ読み取り可能な記録媒体を提供することを目的とする。
【０００５】
【課題を解決するための手段】
前記目的は、請求項１の発明によれば、位置情報取得手段を備える携帯端末装置と、携帯端末装置を管理するための携帯管理装置と、を有する位置情報管理システムであって、前記携帯管理装置は、前記携帯端末装置との関連で地理的領域を特定する領域特定手段と、前記領域特定手段で特定した前記地理的領域を地理的領域情報として登録する領域情報登録手段と、前記領域情報登録手段に登録されている前記地理的領域情報を関連する前記携帯端末装置に提供する領域情報提供手段と、を有し、前記携帯端末装置は、前記領域情報提供手段から取得した前記地理的領域情報と、前記位置情報取得手段で取得した位置情報とに基づいて、当該位置情報で特定される位置と直近の位置情報で特定された位置との間に前記地理的領域情報で特定された領域の境界部が存在するか否かの境界部存在情報を生成する境界部情報生成手段と、前記境界部情報生成手段で生成された前記境界部存在情報を前記携帯管理装置に送信する境界部情報送信手段と、を有することを特徴とする位置情報管理システムにより達成される。
【０００６】
請求項１の構成によれば、前記携帯管理装置は、前記携帯端末装置との関連で地理的領域を特定する領域特定手段と、前記領域特定手段で特定した前記地理的領域を地理的領域情報として登録する領域情報登録手段と、前記領域情報登録手段に登録されている前記地理的領域情報を関連する前記携帯端末装置に提供する領域情報提供手段と、を有している。
したがって、利用者は前記領域特定手段で管理対象の携帯端末装置の管理範囲である前記地理的領域を特定し、前記領域情報登録手段に登録することができる。
そして、この登録した前記地理的領域情報を管理対象である前記携帯端末装置に提供することができる。
【０００７】
また、請求項１の構成では、前記携帯端末装置は、前記領域情報提供手段から取得した前記地理的領域情報と、前記位置情報取得手段で取得した位置情報とに基づいて、当該位置情報で特定される位置と直近の位置情報で特定された位置との間に前記地理的領域情報で特定された領域の境界部が存在するか否かの境界部存在情報を生成する境界部情報生成手段と、前記境界部情報生成手段で生成された前記境界部存在情報を前記携帯管理装置に送信する境界部情報送信手段と、を有する。
したがって、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
【０００８】
また、前記携帯端末装置が時系列で取得した例えば２つの位置情報の前の位置情報（直近の位置情報）が、前記地理的領域情報に特定された領域の境界部の内側であり、後の位置情報（当該位置情報）が前記境界部の外側である場合は、これら２つの位置情報の間に前記境界部が存在することとなる。
このため、前記携帯端末装置が前記地理的領域情報で特定された領域から出たこと（ＯＵＴ）が分かる。
逆に、前記直近の位置情報が前記境界部の外側で、前記当該位置情報が前記境界部の内側の場合は、前記特定された領域に入ったこと（ＩＮ）が分かる。
【０００９】
このように、管理対象の前記携帯端末装置が管理対象範囲である前記地理領域情報で特定された領域内に何時入り、又は出たかの情報を前記携帯管理装置が入手できれば、常時、前記携帯端末装置と前記携帯管理装置とで通信をすることなく、前記特定された領域との関連で前記携帯端末装置を十分にモニターし管理することができる。
したがって、通信トラフィックを減少させても、常時、通信をしている場合と同様の管理が可能となる。
【００１０】
前記目的は請求項２の発明によれば、携帯端末装置との関連で地理的領域を特定する領域特定手段と、前記領域特定手段で特定した前記地理的領域を地理的領域情報として登録する領域情報登録手段と、前記領域情報登録手段に登録されている前記地理的領域情報を関連する前記携帯端末装置に提供する領域情報提供手段と、前記携帯端末装置の境界部情報生成手段が生成する境界部存在情報を受信する境界部情報受信手段と、を有する位置情報管理装置であって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置により達成される。
【００１１】
請求項２の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置となる。
【００１２】
前記目的は請求項３の発明によれば、位置情報取得手段と、携帯管理装置の領域特定手段で携帯端末装置との関連で特定した地理的領域と、前記位置情報取得手段で取得した位置情報と、に基づいて、当該位置情報で特定される位置と直近の位置情報で特定された位置との間に前記地理的領域情報で特定された領域の境界部が存在するか否かの境界部存在情報を生成する境界部情報生成手段と、前記境界部情報生成手段で生成された前記境界部存在情報を前記携帯管理装置に送信する境界部情報送信手段と、を有することを特徴とする携帯端末装置により達成される。
【００１３】
請求項３の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置となる。
【００１４】
前記目的は請求項４の発明によれば、携帯管理装置の領域特定手段が前記携帯端末装置との関連で地理的領域を特定する領域特定工程と、前記領域特定工程で特定された前記地理的領域を、前記携帯管理装置の領域情報登録手段が地理的情報として登録する領域情報登録工程と、前記携帯管理装置の領域情報提供手段が前記領域情報登録手段に登録されている前記地理的領域情報を関連する前記携帯端末装置に提供する領域情報提供工程と、携帯端末装置の位置情報取得手段が位置情報を取得する位置情報取得工程と、前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、前記境界部情報生成工程で生成された前記境界部存在情報を前記携帯端末装置の境界部情報送信手段が前記携帯管理装置に送信する境界部情報送信工程と、前記境界部情報送信工程で送信された前記境界部存在情報を前記携帯端末装置との関連で前記携帯管理装置の境界部情報登録手段に登録する境界情報登録工程と、を有することを特徴とする位置情報管理方法により達成される。
【００１５】
請求項４の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理方法である。
【００１６】
前記目的は請求項５の発明によれば、携帯端末装置の領域登録手段が携帯端末装置との関連で地理的領域を特定する領域特定工程と、前記領域特定工程で特定された前記地理的領域を前記携帯端末装置の領域情報登録手段が地理的領域情報として登録する領域情報登録工程と、前記携帯管理装置の領域情報提供手段が前記領域情報登録手段に登録されている前記地理的領域情報を関連する前記携帯端末装置に提供する領域情報提供工程と、境界部情報受信手段が前記携帯端末装置の境界部情報生成手段が生成する境界部存在情報を受信する境界部情報受信工程と、を有する位置情報管理装置の制御方法であって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御方法により達成される。
【００１７】
請求項５の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置の制御方法である。
【００１８】
前記目的は、請求項６の発明によれば、携帯端末装置の位置情報取得手段が位置情報を取得する位置情報取得手工程と、携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、前記境界部情報生成工程で生成された前記境界部存在情報を境界部情報送信手段が前記携帯管理装置に送信する境界部情報送信工程と、を有することを特徴とする携帯端末装置の制御方法により達成される。
【００１９】
請求項６の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置の制御方法である。
【００２０】
前記目的は請求項７の発明によれば、コンピュータに、携帯管理装置の領域特定手段が前記携帯端末装置との関連で地理的領域を特定する領域特定工程と、　前記領域特定工程で特定された前記地理的領域を、前記携帯管理装置の領域情報登録手段が地理的情報として登録する領域情報登録工程と、前記携帯管理装置の領域情報提供手段が前記領域情報登録手段に登録されている前記地理的領域情報を関連する前記携帯端末装置に提供する領域情報提供工程と、携帯端末装置の位置情報取得手段が位置情報を取得する位置情報取得工程と、前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、前記境界部情報生成工程で生成された前記境界部存在情報を前記携帯端末装置の境界部情報送信手段が前記携帯管理装置に送信する境界部情報送信工程と、前記境界部情報送信工程で送信された前記境界部存在情報を前記携帯端末装置との関連で前記携帯管理装置の境界部情報登録手段に登録する境界情報登録工程と、を実行させるための位置情報管理プログラムにより達成される。
【００２１】
請求項７の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理プログラムである。
【００２２】
前記目的は請求項８の発明によれば、コンピュータに、携帯端末装置の領域登録手段が携帯端末装置との関連で地理的領域を特定する領域特定工程と、前記領域特定工程で特定された前記地理的領域を前記携帯端末装置の領域情報登録手段が地理的領域情報として登録する領域情報登録工程と、前記携帯管理装置の領域情報提供手段が前記領域情報登録手段に登録されている前記地理的領域情報を関連する前記携帯端末装置に提供する領域情報提供工程と、境界部情報受信手段が前記携帯端末装置の境界部情報生成手段が生成する境界部存在情報を受信する境界部情報受信工程と、を実行させるための位置情報管理装置の制御プログラムであって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラムにより達成される。
【００２３】
請求項８の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置の制御プログラムである。
【００２４】
前記目的は請求項９の発明によれば、コンピュータに、携帯端末装置の位置情報取得手段が位置情報を取得する位置情報取得手工程と、携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、前記境界部情報生成工程で生成された前記境界部存在情報を境界部情報送信手段が前記携帯管理装置に送信する境界部情報送信工程と、を実行させるための携帯端末装置の制御プログラムにより達成される。
【００２５】
請求項９の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置の制御プログラムである。
【００２６】
前記目的は請求項１０の発明によれば、コンピュータに、携帯管理装置の領域特定手段が前記携帯端末装置との関連で地理的領域を特定する領域特定工程と、
前記領域特定工程で特定された前記地理的領域を、前記携帯管理装置の領域情報登録手段が地理的情報として登録する領域情報登録工程と、前記携帯管理装置の領域情報提供手段が前記領域情報登録手段に登録されている前記地理的領域情報を関連する前記携帯端末装置に提供する領域情報提供工程と、携帯端末装置の位置情報取得手段が位置情報を取得する位置情報取得工程と、前記携帯端末装置の境界部情報生成手段が、前記領域情報提供工程で取得した前記地理的領域情報と、前記位置情報取得工程で取得した位置情報とに基づいて、当該位置情報で特定される位置と直近の位置情報で特定された位置との間に前記地理的領域情報で特定された領域の境界部が存在するか否かの境界部存在情報を生成する境界部情報生成工程と、前記境界部情報生成工程で生成された前記境界部存在情報を前記携帯端末装置の境界部情報送信手段が前記携帯管理装置に送信する境界部情報送信工程と、前記境界部情報送信工程で送信された前記境界部存在情報を前記携帯端末装置との関連で前記携帯管理装置の境界部情報登録手段に登録する境界情報登録工程と、を実行させるための位置情報管理プログラムを記録したコンピュータ読み取り可能な記録媒体により達成される。
【００２７】
請求項１０の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理プログラムを記録したコンピュータ読み取り可能な記録媒体である。
【００２８】
前記目的は請求項１１の発明によれば、コンピュータに、携帯端末装置の領域登録手段が携帯端末装置との関連で地理的領域を特定する領域特定工程と、前記領域特定工程で特定された前記地理的領域を前記携帯端末装置の領域情報登録手段が地理的領域情報として登録する領域情報登録工程と、前記携帯管理装置の領域情報提供手段が前記領域情報登録手段に登録されている前記地理的領域情報を関連する前記携帯端末装置に提供する領域情報提供工程と、境界部情報受信手段が前記携帯端末装置の境界部情報生成手段が生成する境界部存在情報を受信する境界部情報受信工程と、を実行させるための位置情報管理装置の制御プログラムであって、前記境界部存在情報は、前記携帯端末装置の境界部情報生成手段が、前記領域情報提供手段から取得した前記地理的領域情報と、前記携帯端末装置の位置情報取得手段で取得した位置情報とに基づいて、当該位置情報で特定される位置と直近の位置情報で特定された位置との間に前記地理的領域情報で特定された領域の境界部が存在するか否かの情報であることを特徴とする位置情報管理装置の制御プログラムを記録したコンピュータ読み取り可能な記録媒体により達成される。
【００２９】
請求項１１の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる位置情報管理装置の制御プログラムを記録したコンピュータ読み取り可能な記録媒体である。
【００３０】
前記目的は請求項１２の発明によれば、コンピュータに、携帯端末装置の位置情報取得手段が位置情報を取得する位置情報取得手工程と、携帯管理装置の領域特定手段が前記携帯端末装置との関連で地理的領域を特定した地理的領域と、前記携帯端末装置の境界部情報生成手段が、前記位置情報取得手段で取得した位置情報と、に基づいて、前記携帯端末装置の境界部情報生成手段が、当該位置情報で特定される位置と直近の位置情報で特定された位置との間に前記地理的領域情報で特定された領域の境界部が存在するか否かの情報を生成する境界部情報生成工程と、前記境界部情報生成工程で生成された前記境界部存在情報を境界部情報送信手段が前記携帯管理装置に送信する境界部情報送信工程と、を実行させるための携帯端末装置の制御プログラムを記録したコンピュータ読み取り可能な記録媒体により達成される。
【００３１】
請求項１２の構成によれば、請求項１と同様に、前記携帯管理装置に送信される情報は、前記境界部存在情報が前記境界部情報生成手段で生成された場合に限られるので、常時、前記携帯管理装置と通信を行っている場合に比べ、大幅に通信トラフィックを軽減させることができ、通信コストが減少する。
したがって、通信トラフィックを減少させても、常時、通信をしている場合と同様の管理が可能となる携帯端末装置の制御プログラムを記録したコンピュータ読み取り可能な記録媒体である。
【００３２】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３３】
図１は、本発明の実施の形態に係る例えば、営業者管理システム１０を示す概略図である。
図１に示すように、営業者管理システム１０は、営業者が使用する営業用車両１１に搭載する、携帯端末装置である例えば携帯電話１００と、この携帯電話１００を管理するための携帯管理装置である管理装置２００とを有している。
（携帯電話１００の構成等について）
図２は、携帯電話１００の主にハード構成等を示す概略ブロック図である。
図２に示すように携帯電話１００は、その内部に位置情報取得手段である例えば、ＧＰＳ（Ｇｌｏｂａｌ　Ｐｏｓｉｔｉｏｎｉｎｇ　Ｓｙｓｔｅｍ）装置１１０、電話装置１２０、制御装置１３０、例えばディスプレイ等である表示部１４０、そして利用者が情報を入力するキー等を有する入力部１６０等を有している。
【００３４】
（ＧＰＳ装置１１０の構成等について）
図３は、図２のＧＰＳ装置１１０の主にハードウエア構成等を示す概略ブロックである。
ＧＰＳ装置１１０は、図１に示すＧＰＳ衛星１２ａ乃至１２ｄから発信される電波を受信するためのＧＰＳ用アンテナ１１１と、位置情報等を生成するＧＰＳ情報生成部１１２とを有している。
そして、ＧＰＳ情報生成部１１２は、図３に示すようにＧＰＳ用アンテナ１１１と接続されているＲＦ部１１３、ダウンコンバータ１１４、アナログ・デジタル変換部１１５、キャリア検出部１１６、コード検出部１１７、コード生成部１１８、周波数生成部１１９及びナビゲーションデータ抽出部１１０ａ等を有している。
【００３５】
（制御装置１３０の構成等について）
図４は、図２の制御装置１３０の主なハードウエア構成等を示す概略図である。
図４に示すように、制御装置１３０は例えばコンピュータ等により構成されており、コンピュータは、バス１３１を有しており、このバスに、ＣＰＵ（Ｃｅｎｔｒａｌ　Ｐｒｏｃｅｓｓｉｎｇ　Ｕｎｉｔ）１３２、ＲＡＭ（Ｒａｎｄｏｍ　Ａｃｃｅｓｓ　Ｍｅｍｏｒｙ）１３３、ＲＯＭ（Ｒｅａｄ　Ｏｎｌｙ　Ｍｅｍｏｒｙ）１３４等が配置されていると共に、図２に示す入力部１６０、表示部１４０、ＧＰＳ装置１１０及び電話装置１２０等が接続され、これらの装置等の動作等を制御等する構成となっている。
【００３６】
すなわち、このバス１３１はすべてのデバイスを接続する機能を有し、アドレスやデータパスを有する内部パスである。
ＣＰＵ１３２は所定のプログラムの処理を行う他、バス１３１に接続されたＲＯＭ１３４等を制御している。ＲＯＭ１３４は、各種プログラムや各種情報等を格納している。
ＲＡＭ１３３は、プログラム処理中のメモリの内容を対比したり、プログラムを実行するためのエリアとしての機能を有する。
【００３７】
具体的には、図３に示すＧＰＳ装置１１０では、以下のように動作等する。
先ず、図１に示すＧＰＳ衛星１２ａ乃至１２ｄからの電波は、ＧＰＳ用アンテナ１１１で受信された後、ＲＦ部１１３やダウンコンバータ１１４を介してアナログ・デジタル変換部１１５で、アナログデータがデジタルデータに変換される。
そして、ＧＰＳ装置１２ａ等からの電波に含まれるコードとキャリア周波数を図３のコード検出部１１８とキャリア検出部１１７でそれぞれ検出されることになる。
これらコード検出部１１８とキャリア検出部１１７でコードとキャリア周波数を検出するために図３のコード生成部１１８と周波数生成部１１９とで検出用のコードと周波数を生成する構成となっている。
【００３８】
このようにして、検出されたキャリア周波数とコードとは、図３に示すナビゲーションデータ抽出部１１０ａに入力される。
ナビゲーションデータ抽出部１１０ａでは、ＧＰＳ衛星１２ａ等のキャリア周波数とコードとに基づきＧＰＳ衛星１２ａ等の位置データとＧＰＳ衛星１２ａ等までの距離データとを取得する。
これら位置及び距離データに基づきナビゲーションデータ抽出部１１０ａが演算し、携帯電話１００に位置情報を緯度、経度及び高度の位置情報として把握することとなる。
このようにしてＧＰＳそして１１０は位置情報を取得する。
【００３９】
（電話装置１２０の構成等について）
図５は、携帯電話１００の電話装置１２０の主にハードウエア構成等を示す概略ブロック図である。
図５に示すように電話装置１２０は、図１の携帯電話基地局１３との通信手段であるアンテナ１２１と、ＲＦ部１２２、ベースバンド処理部１２３、音声処理部１２４、スピーカ１２５及びマイクロホン１２６等を有している。
したがって、電話用アンテナ１２１で受信された携帯電話基地局１３からの音声信号はＲＦ部１２２等を介してスピーカ１２５に音声として出力されるので、利用者が音声を聞くことができる構成となっている。
逆に、利用者の発した音声は、マイクロホン１２６から入力され、音声処理部１２４等を介して電話用アンテナ１２１から携帯電話基地局１３に発信される構成となっている。
【００４０】
（管理装置２００の構成等について）
図１の管理装置２００は、例えばコンピュータ等から成っている。図６は、管理装置２００の主なハードウエア構成等を示す概略図である。
図６に示すように、管理装置２００のコンピュータは、バス２１０、ＣＰＵ２２０、ＲＡＭ２３０、ＲＯＭ２４０、入力部２５０、表示部２６０等を有しており、これらは上述の携帯電話１００で説明したバス１３１等と同様である。
また、図６に示すようにバス２１０には、ハードディスク２７０やインターフェース２８０が接続されている。
このインターフェース２８０は管理装置２００が図１に示すインターネット網１４と通信するための送受信手段である。
【００４１】
このような構成の携帯電話１００は携帯電話基地局１３を介してインターネット網１４に接続されており、管理装置２００のインターネット網１４に接続されている。
したがって、管理装置２００のコンピュータはＨＴＭＬ言語で書かれたファイルを読み取ることができるプラウザが図６のディスプレイ等の表示部２６０に表示できる構成となっている。
プラウザとしては、ＨＴＭＬ閲覧ソフトである各種のブラウザソフトが適用される。
また、管理装置２００のコンピュータは、ＷＥＢサーバとしての役割を果たすことができ、このコンピュータが搭載している基本制御プログラム（ＯＳ（オペレーションシステム））やＢＩＯＳ（基本出力制御システム）とＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）やｊａｖａ言語等により動作する構成となっている。
【００４２】
以上が、本実施の形態の営業者管理システム１０の主にハードウエア構成を中心とした説明であるが、以下、営業者管理システム１０の主にソフトウエア構成を中心とした説明を、管理装置２００と携帯電話１００に分けて行う。
（管理装置２００の構成等について）
図７は管理装置２００の主なソフトウエア構成等を示す概略ブロック図である。図７に示すように、管理装置２００には携帯電話１００との関連で地理的領域であるゾーン１７０を特定する領域特定手段であるゾーン設定部２０３を有している。
ゾーン１７０は、線等で囲まれた部分であり、管理対象である携帯電話１００が、ゾーン１７０内に入った場合や、ゾーン１７０外に出た場合に、その事実を携帯電話１００から受け取るために設定するものである。
【００４３】
また、ゾーン１７０は、地理的領域であるため、図７に示すように、管理装置２００は、地図データベース２０４を有し、地図データをゾーン設定部２０３に供給する構成となっている。
したがって、ゾーン設定部２０３では、地図データ上においてゾーン１７０を設定し得る構成となっている。
【００４４】
また、管理装置２００には上述のようにディスプレイ等の表示部２６０が備えられ、表示部２６０に表示するための表示処理部２０１が設けられている。
したがって、表示部２６０には、ゾーン設定部２０３でゾーン１７０を設定している状態が示される構成となっている。
したがって、ゾーン１７０を設定する管理者は、表示部２６０を見ながら入力部２５０で入力することで、容易に地図上に希望するゾーン１７０を設定できる構成となっている。
【００４５】
図８（ａ）（ｂ）は、ゾーン１７０設定の一例を示す概略図である。
図８（ａ）に示すように、表示部２６０には、地図データベース２０４から提供された地図データが示される。
ここでは、画面上にＡ市乃至Ｆ市、そしてＧ町とＨ町とが示されている。管理者は例えば、携帯電話１００を保持する営業者のゾーン１７０として、先ず、Ａ市の一部を指定したいときは、図８（ｂ）に示すように、Ａ市を拡大して示し、そのうち、地図上に例えば５つの点をマークする。
そして、これらの点を結べば５角形で表すゾーン１７０が特定されることになる。
同様に他の地域でゾーン１７０を特定すれば、１つの携帯電話１００について複数のゾーン１７０を設定することができる。
例えば、携帯電話１００を所持する営業者が複数の営業区域を有する場合、これらの営業区域毎にゾーン１７０を設定することになる。
【００４６】
このようにゾーン設定部２０３で特定し設定されたゾーン１７０は、ゾーン情報として図７の領域情報登録手段であるゾーン情報データベース２０２に携帯電話１００との関連で、すなわち、携帯電話１００毎のファイルに登録される。
図９は、ゾーン情報データベース２０２に登録されているファイルの一例を示す概略図である。
図９に示すように、管理者が入力部２５０から入力した携帯電話１００のＩＤ番号（例えばＴＢ０００１）について、上述のように設定されたゾーン１７０が示される。
【００４７】
また、携帯電話１００から管理装置２００に通知する場合にアドレスも示される。
さらに、図９に示すように、ゾーン１７０との関連、例えばゾーン１７０内かゾーン１７０外かによって、携帯電話１００のＧＰＳ装置１１０の測位間隔を設定することもできる。
例えば、ゾーン１７０外の場合、測位間隔を長くすることで、無駄な測位を防ぎ携帯電話１００の電力消費を抑えることができる。また、ゾーン１７０内の測位間隔を短くすることで、測位が必要なときに、測位漏れが生じるのを防ぐことができる。
【００４８】
一方、管理装置２００は、インターネット網１４と接続するためのインターフェース２８０とＷＥＢ管理部２０６を有している。
ＷＥＢ管理部２０６は、上述のように管理装置２００がインターネット網１４と接続するためのＷＥＢサーバであり、携帯電話１００は、このＷＥＢ管理部２０６にインターネット網１４を介してアクセスすることになる。
また、後述するように携帯電話１００から、自己のゾーン１７０情報等の取得を求めてきたときは、ＷＥＢ管理部２０６は、その携帯電話ＩＤ番号等の情報を図７の携帯電話判断部２０５に送信する。
【００４９】
携帯電話判断部２０５は、当該ＩＤ番号の携帯電話１００のファイルをゾーン情報データベース２０２から取得して、ＷＥＢ管理部２０６に提供する。
そして、携帯電話１００はこのＷＥＢ管理部２０６を介して自己のゾーン１７０情報を取得する構成となっている。
すなわち、携帯電話判断部２０５、ＷＥＢ管理部２０６及びインターフェース２８０が、ゾーン情報データベース２０２に登録されているゾーン１７０情報を関連する携帯電話１００に提供する領域情報提供手段となっている。
【００５０】
（携帯電話１００の構成等について）
図１０は、図１の携帯電話１００の主なソフトウエア構成等を示す概略ブロック図である。
携帯電話１００には、図１０に示すように、管理装置２００と交信するためのインターフェース１０１を備えている。
具体的には、携帯電話１００は、図５の電話装置１２０の電話用アンテナ１２１から情報を図１の携帯電話基地局１３に発信し、この携帯電話基地局１３を介してインターネット網１４に接続して、管理装置２００の図７のＷＥＢ管理部２０６にアクセスする構成となっている。
【００５１】
また、携帯電話１００が管理装置２００にアクセスするには、図１０の接続制御部１０３が、通知先情報データベース１０２から管理装置２００のアドレスを入手しアクセスする構成となっている。
携帯電話１００からの要求により、上述のゾーン１７０情報を求められた管理装置２００は上述のようにゾーン１７０情報をＷＥＢ管理部２０６を介して携帯電話１００に提供する。
【００５２】
提供されたゾーン１７０情報等は図９に示すように他の情報である測位間隔情報、通知先アドレス等を含んでいるので、図１０の受信情報分別処理部１０４で、情報毎に通知先情報データベース１０２、ゾーン情報データベース１０５、測位間隔情報データベース１０６にそれぞれ分けて格納される。
一方、図１０の位置情報取得部１０７は、図２のＧＰＳ装置１１０で位置情報を測位により取得する。
測位された位置情報は位置軌跡処理部１０８に入力される。また、位置軌跡処理部１０８は、ゾーン情報データベース１０５から、ゾーン１７０に関する情報を入手し、位置情報取得部１０７から入手した位置情報と合成することで、現在、携帯電話２００がゾーン１７０の内側に居るか、ゾーン１７０の外側に居るかを判別することができる。
【００５３】
具体的には、図１１（ａ）（ｂ）に示すように行う。図１１は携帯電話１００がゾーン１７０の内側か、外側かを判定する判定方法の一例である。
図１１（ａ）は、携帯電話１００がゾーン１７０の外側に位置している場合の一例を示す説明図である。
図１１（ａ）に示す５角形は、図８（ｂ）で示す特定されたゾーン１７０である。これらの第１点乃至第５点と携帯電話１００の現在位置とを線で結ぶと、第１点と第５点との間のθ１、第５点と第４点との間のθ２、第４点と第３点との間のθ３、そして第３点と第２点との間のθ４の角度が生じる。
これらθ１乃至θ４の角度の和は１８０°未満となる。したがって、位置軌跡処理部１０８がこれらの角度θを足すことで容易に携帯電話１００の位置がゾーン１７０の外側にあることが分かる。
【００５４】
また、図１１（ｂ）のように角度θ１乃至角度θ５を足した場合に、その和が１８０°を超える場合には、容易に携帯電話１００がゾーン１７０の内側にあること分かる。
さらに、図１１（ａ）の角度θ１乃至θ４の和が１８０°の場合は、携帯電話１００がゾーン１７０の境界部１７０ａ上にあることになる。
【００５５】
このように、図１０の位置軌跡処理部１０８は、携帯電話１００がゾーン１７０の内側か、外側かを容易にモニターすると共に、ゾーン１７０の内側と外側とで測位間隔が異なる場合は、その情報を測位間隔情報データベース１０６から取得し、測位間隔を判断し、その結果を位置情報取得部１０７に出力する。
位置情報取得部１０７は、位置軌跡処理部１０８の指示に従って測位間隔を変更等することになる。
これにより、無駄な測位が防げ、携帯電話１００の省電力化に寄与することになる。
【００５６】
また、位置軌跡処理部１０８では、このように取得し処理した情報を図１０の位置軌跡情報データベース１００１に格納すると共に、通知要否判断部１０９に出力する。
通知要否判断部１０９では、位置軌跡処理部１０８が取得したゾーン１７０情報と、位置情報取得部１０７を介して位置軌跡処理部１０８が取得した位置情報とに基づいて、携帯電話１００の当該位置情報で特定される位置、例えば図１１（ｂ）の位置、と直近（前回の測位時）の位置情報で特定された位置、例えば図１１（ａ）の位置との間に、ゾーン１７０の境界部１７０ａが存在するか否かの境界部存在情報を生成する。したがって、通知要否判断部は、境界部情報生成手段となる。
【００５７】
具体的には、或ときのＧＰＳ装置１１０の測位で判明した携帯電話１００の位置が、図１１（ｂ）のようにゾーン１７０の外側であった場合で、次に測位では、図１１（ａ）のようにゾーン１７０の内側であった場合は、ゾーン１７０の境界部１７０ａを跨ぐ結果となる。これは、携帯電話１００がゾーン１７０内に入った（ＩＮ）ことを示す。
逆の場合は、携帯電話１００がゾーン１７０外に出た（ＯＵＴ）ことが分かる。
このように通知要否判断部１０９では、携帯電話１００がゾーン１７０に入ったこと（ＩＮ）又はゾーン１７０から出たこと（ＯＵＴ）のみの情報を抽出して、管理装置２００へ通知すべき情報とする。
具体的には、ＩＮ又はＯＵＴの境界部存在情報を、位置及び時間の情報と共に、図１０の通知処理部１００２に通知する。
【００５８】
通知処理部１００２は図１０の通知先情報データベース１０２から管理装置２００のアドレスを入手し、インターネット網１４を介して、管理装置２００のＷＥＢ管理部２０６（図７参照）にアクセスし、その境界部存在情報を提供する。すなわち、通知要否判断部１０９で生成された境界部存在情報を境界部情報送信手段である通知処理部１００２とインターフェース１０１で管理装置２００に送信することになる。
管理装置２００は、携帯電話判断部２０５が、ゾーン情報データベース２０２内の当該携帯電話１００のファイル、例えば図９のファイルを検索し、この「５．位置軌跡データ」に記録する。
【００５９】
図１２は、位置軌跡データの登録例を示す概略図である。
図１２の例では、図８（ｂ）で設定したゾーン１７０がＡであり、それ以外の地域にゾーン１７０（Ｂ）を設定してある場合である。
図１２によると、携帯電話１００は、９時にゾーン１７０（Ａ）に入り（ＩＮ）、１０時にゾーン（Ａ）から出ている。また、１１時に、今度はゾーン１７０（Ｂ）に入り（ＩＮ）、１２時に出ている（ＯＵＴ）。そして、１７時に再びゾーン１７０（Ａ）に入っている（ＩＮ）。
【００６０】
このように、ゾーン１７０のＩＮとＯＵＴを記入することで、例えば携帯電話１００を所持している営業者等の管理や日報等の作成が容易となる。
以上のように携帯電話１００毎に記録されたゾーン情報データベース２０２の情報を管理者等は図７の表示部２６０に表示させることで、容易に利用することができる。
また、図１０に示す携帯電話１００でも、携帯電話１００の所持者である営業者等が、入力部１６０を操作して、位置軌跡情報データベース１００１の情報を表示処理部１００３を介してディスプレイ等の表示部１４０に表示させ確認することがでできる。
さらに、携帯電話１００と管理装置２００との間の通信は、上述のゾーン１７０へのＩＮ又はゾーン１７０からのＯＵＴの場合に限られるので、通信トラフィックを著しく減少させることができる。
【００６１】
以上のように、本実施の形態の営業者管理システム１０によれば、利用者は管理装置２００のゾーン設定部２０３で管理対象の携帯電話１００の管理範囲であるゾーン１７０を特定し、ゾーン情報データベース２０２に登録することができる。
そして、この登録したゾーン１７０を管理対象である携帯電話１００に提供できる構成ともなっている。
また、携帯電話１００から管理装置２００に送信される情報は、上述の境界部存在情報が通知要否判断部１０９で生成される場合に限られるので、常時、管理装置２００と通知を行っている場合に比べ、大幅に通信トラフィックを軽減させることができ、通信コストが減少する。
【００６２】
また、携帯電話１００が時系列で取得した例えば２つの位置情報の前の位置情報（直近の位置情報であり、図１１（ａ）の位置情報）が、ゾーン１７０の外側であり、後の位置情報（当該位置情報であり、図１１（ｂ）の位置情報）がゾーン１７０の内側である場合は、これら２つの位置情報の間にゾーン１７０の境界部１７０ａが存在することになる。
このため、この境界部１７０ａを跨いだときに前記通知要否判断部１０９が通信情報を生成し、管理装置２００に通知すれば、管理装置２００は、携帯電話１００がゾーン１７０に入った（ＩＮ）ことを認識することができる。
【００６３】
逆に、前記直近の位置情報がゾーン１７０の内側（図１１（ｂ）の位置情報）で、当該位置情報がゾーン１７０の外側（図１１（ａ）の位置情報）である場合、携帯電話１００がゾーン１７０から出た（ＯＵＴ）ことを管理装置２００が認識することができる。
このように、管理対象の携帯電話１００がゾーン１７０に何時入り（ＩＮ）、何時出た（ＯＵＴ）の情報を管理装置２００のゾーン情報データベース２０２が図１２に示すように入手し登録すれば、常時、携帯電話１００と管理装置２００とで通信することなく、携帯電話１００をゾーン１７０との関連で十分にモニターし、管理することができる。
したがって、通信トラフィックを減少させても、常時、通信している番号後同様の管理が可能となる。
【００６４】
以上が本実施の形態の営業者管理システム１０の構成等であるが、以下にその適用例を挙げて営業者管理システム１０の動作例等について説明する。
適用例としては、携帯電話を所持し営業用車両で移動する営業者の営業日報等を会社の管理装置が自動的に作成するシステムとする。
図１３乃至図１５は、営業者管理システム１０の動作例を示す概略フローチャートである。
【００６５】
先ず、図１３のＳＴ１に示すように、企業の管理者が管理装置２００のゾーン情報データベース２０２に携帯電話１００毎のゾーン１７０等を設定する（領域特定工程）。
すなわち、管理装置２００のゾーン設定部２０３が携帯電話１００との関連でゾーン１７０を特定する。
具体的には、企業の管理者が図７に示す管理装置２００の入力部２５０を操作し、表示部２６０見ながら、携帯電話１００を特定する携帯電話ＩＤ番号、このＩＤ番号で特定される携帯電話１００の管理範囲であるゾーン１７０、携帯電話１００が管理装置２００と通信するに必要なアドレス等を入力する。
【００６６】
このような入力が終わると、ＳＴ２に示すように、設定したゾーン１７０等をゾーン情報データベース２０２に登録する（領域情報登録工程）。
すなわち、ＳＴ１で特定されたゾーン１７０等を管理装置２００のゾーン情報データベース２０２がゾーン情報として登録する。
具体的には、図９に示すように携帯電話ＩＤ番号毎に作成されるファイルに記録され、登録される。
このとき、図９に示すように、ゾーン１７０との関係で携帯電話１００のＧＰＳ装置１１０が測位する測位間隔を指定することができる。
これにより、無駄な測位を省くことができ携帯電話１００の省電力化を図ることができる。
【００６７】
次に、ＳＴ３に示すように、営業者が自己の携帯電話１００を自己が使用する営業用車両１１に設置する（図１参照）。
【００６８】
次に、ＳＴ４に示すように、携帯電話１００がインターネット網１４等を介して管理装置２００のＷＥＢ管理部２０６にアクセスする。
具体的には、図１０の接続制御部１０３が通知先情報データベース１０２から取得したＷＥＢ管理部２０６のアドレスに携帯電話基地局１３を介してアクセスする。
そして、携帯電話１００から自己のゾーン１７０等の情報を要求する。
【００６９】
次に、ＳＴ５に示すように、携帯電話１００の要求に応じて管理装置２００が携帯電話１００にゾーン１７０等の情報を提供する（領域情報提供工程）。
すなわち、管理装置２００のＷＥＢ管理部２０６等がゾーン情報データベース２０２に登録されている携帯電話１００に関連するゾーン１７０情報等を携帯電話１００に提供する。
【００７０】
次に、ＳＴ６に示すように、携帯電話１００はゾーン１７０等の情報を受信情報分別処理部１０４で各データベースに分別し登録させる。
具体的には、受信したゾーン１７０等の情報を、それぞれの情報毎に、図１０の通知先情報データベース１０２、ゾーン情報データベース１０５又は測位間隔情報データベース１０６に分別して登録する。
【００７１】
次に、ＳＴ７に示すように、携帯電話１００がＧＰＳ装置１１０で測位した位置情報を取得する（位置情報取得工程）。
具体的には、ＧＰＳ装置１１０は携帯電話１００の位置を緯度、経度及び高度等の情報として取得し、これらの情報を図１０の位置情報取得部１０７が位置軌跡処理部１０８に入力する。
また、位置情報取得部１０７は、位置軌跡処理部１０８を介して、測位間隔情報データベース１０６内の測位間隔情報を取得し、その測位間隔に応じて測位を行う。
この測位間隔情報は、例えば、上述のようにゾーン１７０の内外等との関係で定められているので、無駄な測位を未然に防止し携帯電話１００の省電力化を図ることができる。
【００７２】
次に、ＳＴ８に示すように、位置軌跡処理部１０８は、測位した緯度、経度及び高度等の位置情報とゾーン１７０等の情報を合成する。
そして、ＳＴ９に示すように、位置軌跡処理部１０８は、この合成した情報を図１０の通知要否判断部１０９や位置軌跡情報データベース１００１等に入力する。
位置軌跡情報データベース１００１に入力された情報は図１０に示すように、営業者が入力部１６０を操作することで、携帯電話１００の表示部１４０に表示させることができる。
したがって、営業者も自己の位置やゾーン１７０等を確認しながら行動することができる。
【００７３】
次に、ＳＴ１０に示すように、通知要否判断部１０９は、前記測位した位置情報がゾーン１７０の内側か外側かを上述の図１１のように角度等に基づいて判断し、図１０の判断結果データベース１００４に格納する（境界部情報生成工程）。
具体的には、図１１のゾーン１７０内か否かを判断する。
また、ＳＴ１１に示すように、通知要否判断部１０９は、判断結果データベース１００４に登録されている直近の情報を読み出す（境界部情報生成工程）。
具体的には、直近である前回のゾーン１７０の内か外かを判断を読み出す。
【００７４】
次に、ＳＴ１２に示すように、直近の情報と結果が同一か否かを判断する（境界部情報生成工程）。
具体的には、前回の判断がゾーン１７０の外側で、今回の判断もゾーン１７０の外側であれば、同一と判断し、ゾーン１７０内に未だ入っていないとして、管理装置２００に通知する境界部存在情報を生成せず、ＳＴ１０に戻る。
一方、前回がゾーン１７０の外側で、今回はゾーン１７０の内側の場合は、同一でなく、ゾーン１７０に入った（ＩＮ）して、ＳＴ１３に進む。
【００７５】
ＳＴ１３では通知要否判断部１０９が境界部存在情報、ゾーン１７０を跨いだという情報を生成し、図１０の通知処理部へ入力する（境界部情報生成工程）。すなわち、ＳＴ１０乃至ＳＴ１３の工程では、携帯電話１００の通知要否判断部１０９が、ＳＴ５で取得したゾーン１７０情報と、ＳＴ７で取得した位置情報とに基づいて、当該位置情報（今回の位置情報）で特定される位置と、直近の位置情報（前回の位置情報）で登録される位置との間にゾーン１７０の境界部１７０ａ（図１１参照）が存在するか否かの境界部存在情報を生成する。
【００７６】
次に、ＳＴ１４に示すように、通知処理部１００２及びインターフェース１０１を介して、境界部存在情報が管理装置２００へ送信される（境界部情報送信工程）。
すなわち、ＳＴ１３等で生成された境界部存在情報を携帯電話１００のインターフェース１０１等が管理装置２００に送信する。
具体的には、携帯電話１００の電話装置１２０の電話用アンテナ１２１から発信された信号は携帯電話基地局１３とインターネット網１４を介して管理装置２００のＷＥＢ管理部２０６に送信される。
【００７７】
次に、ＳＴ１５に示すように、管理装置２００は受信した境界部存在情報をゾーン情報データベース２０２に登録する（境界部情報登録工程）。
すなわち、ＳＴ１４で送信された境界部存在情報を携帯電話１００との関連で管理装置２００のゾーン情報データベース２０２に登録する。
具体的には、携帯電話判断部２０５が携帯電話１００のＩＤ番号等からゾーン情報データベース２０２内の該当ファイルを探す。
該当する例えば図９に示すようなファイルを探した後、この位置軌跡データの欄に時刻、位置、ゾーンの入出（ＩＮとＯＵＴ）等を登録する。
すると、図１２に示すようなゾーン１７０のＩＮとＯＵＴが明確に分かる営業者毎の営業日報が自動的に作成され、管理装置２００内に保管されることになる。
【００７８】
このように、本実施の形態によれば容易且つ確実に営業者毎の営業日報を作成することができる。また、本実施の形態では営業者の携帯電話１００から情報を管理装置２００に発信させているが、常時、通信しているのではなく、ゾーン１７０のＩＮとＯＵＴの際のみ通信している。
したがって、通信トラフィックが著しく減少し、携帯電話１００に付加をかけすぎず、省電力化ともなる優れた営業者管理システム１０となる。
【００７９】
（プログラム及びコンピュータ読み取り可能な記録媒体等について）
コンピュータに上述の動作例の領域特定工程、領域情報登録工程、領域情報提供工程、位置情報取得工程、境界部情報生成工程、境界部情報送信工程、及び境界情報登録工程等を実行させるための位置情報管理プログラム、位置情報管理装置の制御プログラム及び携帯端末存在の制御プログラムとすることができる。
また、このような位置情報管理プログラム、位置情報管理装置の制御プログラム及び携帯端末存在の制御プログラムを記録したコンピュータ読み取り可能な記録媒体とすることもできる。
【００８０】
これら位置情報管理プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−Ｒｅｗｒｉｔｅｒｂｌｅ）、ＤＶＤ（Ｄｉｇｉｔａｌ　Ｖｅｒｓａｔｉｌｅ　Ｄｉｓｃ）などのパッケージメディアのみならず、プログラムが一時的若しくは永続的に格納される半導体メモリ、磁気ディスクあるいは光磁気ディスクなどで実現することができる。
【００８１】
本発明は、上述の各実施の形態に限定されない。さらに、上述の各実施の形態は、相互に組み合わせて構成するようにしてもよい。
【００８２】
【発明の効果】
以上述べたように、本発明によれば、携帯端末装置と携帯管理装置との通信トラフィックを減少させ、通信コストを減少させると共に、効率的な携帯端末装置の管理が可能となる位置情報管理システム、位置情報管理装置、携帯端末装置、位置情報管理方法、位置情報管理装置の制御方法、携帯端末装置の制御方法、位置情報管理プログラム、位置情報管理装置の制御プログラム、携帯端末装置の制御プログラム、位置情報管理プログラムを記録したコンピュータ読み取り可能な記録媒体、位置情報管理装置の制御プログラムを記録したコンピュータ読み取り可能な記録媒体、携帯端末装置の制御プログラムを記録したコンピュータ読み取り可能な記録媒体を提供することができる。
【図面の簡単な説明】
【図１】本発明の実施の形態に係る例えば、営業者管理システムを示す概略図である。
【図２】携帯電話の主にハード構成等を示す概略ブロック図である。
【図３】図２のＧＰＳ装置の主にハードウエア構成等を示す概略ブロックである。
【図４】図２の制御装置の主なハードウエア構成等を示す概略図である。
【図５】携帯電話の電話装置の主にハードウエア構成等を示す概略ブロック図である。
【図６】管理装置の主なハードウエア構成等を示す概略図である。
【図７】管理装置の主なソフトウエア構成等を示す概略ブロック図である。
【図８】ゾーン設定の一例を示す概略図である。
【図９】ゾーン情報データベースに登録されているファイルの一例を示す概略図である。
【図１０】図１の携帯電話の主なソフトウエア構成等を示す概略ブロック図である。
【図１１】図１の携帯電話の主なソフトウエア構成等を示す概略ブロック図である。
【図１２】位置軌跡データの登録例を示す概略図である。
【図１３】営業者管理システムの動作例を示す概略フローチャートである。
【図１４】営業者管理システムの動作例を示す他の概略フローチャートである。
【図１５】営業者管理システムの動作例を示す他の概略フローチャートである。
【符号の説明】
１０・・・営業者管理システム、１１・・・営業用車両、１２ａ乃至１２ｄ・・・ＧＰＳ衛星、１３・・・携帯電話基地局、１４・・・インターネット網、１００・・・携帯電話、１０１・・・インターフェース、１０２・・・通知先情報データベース、１０３・・・接続制御部、１０４・・・受信情報分別処理部、１０５・・・ゾーン情報データベース、１０６・・・測位間隔情報データベース、１０７・・・位置情報取得部、１０８・・・位置軌跡処理部、１０９・・・通知要否判断部、１１０・・・ＧＰＳ装置、１１０ａ・・・ナビゲーションデータ抽出部、１１１・・・ＧＰＳ用アンテナ、１１２・・・ＧＰＳ情報生成部、１１３・・・ＲＦ部、１１４・・・ダウンコンバータ、１１５・・・アナログ・デジタル変換部、１１６・・・キャリア検出部、１１７・・・コード検出部、１１８・・・コード生成部、１１９・・・周波数生成部、１２０・・・電話装置、１２１・・・電話用アンテナ、１２２・・・ＲＦ部、１２３・・・ベースバンド処理部、１２４・・・音声処理部、１２５・・・スピーカ、１２６・・・マイクロホン、１３０・・・制御装置、１３１・・・バス、１３２・・・ＣＰＵ、１３３・・・ＲＡＭ、１３４・・・ＲＯＭ、１４０・・・表示部、１６０・・・入力部、１７０・・・ゾーン、１７０ａ・・・境界部、２００・・・管理装置、２０１・・・表示処理部、２０２・・・ゾーン情報データベース、２０３・・・ゾーン設定部、２０４・・・地図データベース、２０５・・・携帯電話判断部、２０６・・・ＷＥＢ管理部、２１０・・・バス、２２０・・・ＣＰＵ、２３０・・・ＲＡＭ、２４０・・・ＲＯＭ、２５０・・・入力部、２６０・・・表示部、２７０・・・ハードディスク、２８０・・・インターフェース、１００１・・・位置軌跡情報データベース、１００２・・・通知処理部、１００３・・・情報処理部、１００４・・・判断結果データベース
【図１】
2004056659.tif 000003
【図２】
2004056659.tif 000004
【図３】
2004056659.tif 000005
【図４】
2004056659.tif 000006
【図５】
2004056659.tif 000007
【図６】
2004056659.tif 000008
【図７】
2004056659.tif 000009
【図８】
2004056659.tif 000010
【図９】
2004056659.tif 000011
【図１０】
2004056659.tif 000012
【図１１】
2004056659.tif 000013
【図１２】
2004056659.tif 000014
【図１３】
2004056659.tif 000015
【図１４】
2004056659.tif 000016
【図１５】
2004056659.tif 000017